【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部にあるフェース部であって、打撃フェース中心点及び打撃フェース縁部を有する打撃フェース並びに前記打撃フェース縁部によって制限されるフェース高さを有し、前記打撃フェース中心点が前記フェース高さの中点に位置するフェース部と、
ヘッド重心と、
第１の性能特性または第２の性能特性の少なくとも一方と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は、前記打撃フェース中心点を通って延びて、前記ホーゼル軸と平行であり、前記地面と垂直であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面と垂直に交差し、
前記ヘッド重心のヘッドＣＧ高さは、前記ＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記ヘッドＣＧ深さが約２５ｍｍ〜約１０２ｍｍであり、
前記ヘッドＣＧ高さが約０ｍｍ〜約５．０８ｍｍであり、
前記フェース高さは、前記ロフト面と平行に測定して約３３ｍｍ〜約７１ｍｍであり、
前記第１の性能特性は、前記ヘッドＣＧ高さを約５．０８ｍｍ以下で有し、
前記第２の性能特性は、（ａ）７６．２ｍｍから前記フェース高さを引き、（ｂ）前記ヘッドＣＧ深さで割ることによって定められるＣＧ性能比を０．５６以下で有し、
前記ヘッド本体は、前記ヘッド本体の前記ソール部及び前記後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記２時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、ゴルフクラブヘッド。
【請求項２】
前記ゴルフクラブヘッドが前記第１の性能特性を備える、請求項１に記載のゴルフクラブヘッド。
【請求項３】
前記ゴルフクラブヘッドが前記第２の性能特性を備える、請求項１または請求項２に記載のゴルフクラブヘッド。
【請求項４】
前記打撃フェースの面積が約２３．６ｃｍ２〜約４５．２ｃｍ２である、請求項１から請求項３のいずれか１項に記載のゴルフクラブヘッド。
【請求項５】
前記錘構造体は、
前記フェース高さによって定められる前記打撃フェースのフェースサイズを増加させて、インパクト領域をより大きくし、かつ前記打撃フェースとゴルフボールの間のゴルフインパクト時に前記ゴルフボールにより多くのエネルギーを移動させ、
前記増加させたフェースサイズによって前記ヘッドＣＧ深さが前記ヘッド前部に向かって浅くなるのを制限し、それにより、前記ゴルフインパクト時に前記打撃フェースのダイナミックロフトまたは前記ゴルフボールの打ち出し角の少なくとも一方を向上させ、
前記増加させたフェースサイズによって前記ヘッドＣＧ高さが前記ヘッド上部に向かって上昇するのを制限し、それにより、前記ゴルフインパクト時に前記打撃フェースと前記ゴルフボールの間のギア効果によって前記ゴルフボールのバックスピンを減少させる、請求項１から請求項４のいずれか１項に記載のゴルフクラブヘッド。
【請求項６】
前記錘構造体は、前記ヘッドソール部の外部輪郭から少なくとも部分的に突出しており、
前記錘構造体は、約２グラム〜約５０グラムの錘質量及び約１立方センチメートル〜約３０立方センチメートルの錘体積を有する、請求項１から請求項４のいずれか１項に記載のゴルフクラブヘッド。
【請求項７】
前記ヘッド重心と前記錘構造体の錘中心の間の錘距離は、約２５ｍｍ〜約１０２ｍｍである、請求項１から請求項４のいずれか１項に記載のゴルフクラブヘッド。
【請求項８】
錘中心垂直距離の軸は、前記錘中心と前記地面の間に延びると共に、前記ゴルフクラブヘッドが前記アドレス位置にあるときは前記地面に垂直であり、
ヘッドＣＧ垂直距離は、前記ヘッド垂直軸に沿って、前記ヘッド重心と前記地面の間で測定され、
錘中心垂直距離は、前記錘中心垂直距離の軸に沿って、前記ヘッド重心と前記地面の間で測定され、
前記錘中心垂直距離を前記ヘッドＣＧ垂直距離で割ることによって定められる垂直距離比が０．４４よりも大きい、請求項１から請求項４のいずれか１項に記載のゴルフクラブヘッド。
【請求項９】
前記錘構造体は、錘中心を有し、
錘中心垂直距離の軸は、前記錘中心と前記地面の間に延びると共に、前記ゴルフクラブヘッドが前記アドレス位置にあるときは前記地面に垂直であり、
前記錘中心の錘中心深さは、前記前面と前記地面の間の交差部にある前記第２交点と、前記錘中心垂直距離の軸と前記地面の交差部にある第４交点の間で、前記地面と平行に測定され、
前記錘中心深さを前記ヘッドＣＧ深さで割ることによって定められる深さ比が２．５４未満である、請求項１から請求項４のいずれか１項に記載のゴルフクラブヘッド。
【請求項１０】
前記フェース部は打撃板を含み、前記打撃板は、前記打撃板の打撃板端部に沿って前記ヘッド前部に接合されており、
前記打撃板端部は、前記打撃フェースの前記打撃フェース縁部の少なくとも一部を画定し、
前記打撃フェース縁部は、打撃フェース上端及び打撃フェース下端を含み、
前記フェース高さは、前記打撃フェース下端から前記打撃フェース上端まで測定される、請求項１から請求項９のいずれか１項に記載のゴルフクラブヘッド。
【請求項１１】
前記打撃フェースを含むヘッド前方面をさらに備え、
前記打撃フェースは、前記打撃フェースに沿って延びると共に前記打撃フェース中心点を横断する垂直ロール半径を含み、
前記打撃フェース縁部は、前記ヘッド前方面の輪郭が前記垂直ロール半径から離れる箇所である上部遷移境界にある打撃フェース上端、及び前記フェース部の輪郭が前記垂直ロール半径から離れる箇所である下部遷移境界にある打撃フェース下端を含み、
前記フェース高さは、前記打撃フェース下端から前記打撃フェース上端まで測定される、
請求項１から請求項９のいずれか１項に記載のゴルフクラブヘッド。
【請求項１２】
前記ヘッド本体はドライバー型本体で構成され、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムである、請求項１から請求項１１のいずれか１項に記載のゴルフクラブヘッド。
【請求項１３】
前記ヘッドＣＧ高さが約０ｍｍ〜約４．４５ｍｍである、請求項１から請求項１１のいずれか１項に記載のゴルフクラブヘッド。
【請求項１４】
前記ヘッドＣＧ高さが約０ｍｍ〜約３．８１ｍｍである、請求項１から請求項１１のいずれか１項に記載のゴルフクラブヘッド。
【請求項１５】
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部に連結され、打撃フェース中心点、打撃フェース縁部及びフェース高さを有し、前記打撃フェース中心点が前記フェース高さの中点に位置する打撃フェースを含むフェース部と、
ヘッド重心と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は前記打撃フェース中心点を通って延びて、前記ホーゼル軸と平行であり、前記地面と垂直であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面と垂直に交差し、
前記ヘッド重心のヘッドＣＧ高さは、前記ＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記フェース高さは、前記打撃フェース縁部によって定められ、前記ロフト面と平行に測定して約３３ｍｍ〜約７１ｍｍであり、
（ａ）７６．２ｍｍから前記フェース高さを引いたものと（ｂ）前記ヘッドＣＧ深さのＣＧ性能比が０．５６以下であり、
前記ヘッド本体はドライバー型本体で構成され、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムであり、
前記ヘッドＣＧ高さは、約０ｍｍ〜約３．１８ｍｍであり、
前記ヘッドＣＧ深さは、約２５ｍｍ〜約１０２ｍｍであり、
前記ヘッド本体は、前記ヘッド本体の前記ソール部及び前記後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、ゴルフクラブヘッド。
【請求項１６】
前記錘構造体は、
前記フェース高さによって定められる前記打撃フェースのフェースサイズを増加させて、インパクト領域をより大きくし、かつ前記打撃フェースとゴルフボールの間のゴルフインパクト時に前記ゴルフボールにより多くのエネルギーを移動させ、
前記増加させたフェースサイズによって前記ヘッドＣＧ深さが前記打撃フェースに向かって浅くなるのを制限し、それにより、前記ゴルフインパクト時に前記打撃フェースのダイナミックロフトまたは前記ゴルフボールの打ち出し角の少なくとも一方を向上させ、
前記増加させたフェースサイズによって前記ヘッドＣＧ高さが前記ヘッド上部に向かって上昇するのを制限し、それにより、前記ゴルフインパクト時に前記打撃フェースと前記ゴルフボールの間のギア効果によって前記ゴルフボールのバックスピンを減少させる、請求項１５に記載のゴルフクラブヘッド。
【請求項１７】
前記ヘッド重心と前記錘構造体の錘中心の間の錘距離が約２５ｍｍ〜約１０２ｍｍである、請求項１５または請求項１６に記載のゴルフクラブヘッド。
【請求項１８】
前記ヘッドＣＧ高さが約０ｍｍ〜約３．８１ｍｍである、請求項１５から１７のいずれか一項に記載のゴルフクラブヘッド。
【請求項１９】
前記ヘッドＣＧ高さが約０ｍｍ〜約４．４５ｍｍである、請求項１５から１７のいずれか一項に記載のゴルフクラブヘッド。
【請求項２０】
ゴルフクラブヘッドの提供方法であって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体を提供すること、
前記ヘッド前部に、打撃フェース中心点、打撃フェース縁部及び前記打撃フェース縁部によって制限されるフェース高さを有する打撃フェースを含み、前記打撃フェース中心点が前記フェース高さの中点に位置するフェース部を連結すること、並びに前記ゴルフクラブヘッドの第１の性能特性または前記ゴルフクラブヘッドの第２の性能特性の少なくとも一方を設定すること、を含み、
前記ゴルフクラブヘッドが地面に対してアドレス位置にあるとき、ヘッド垂直軸は、前記ゴルフクラブヘッドのヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は前記打撃フェース中心点を通って延びて、前記ホーゼル軸と平行であり、前記地面と垂直であり、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面と垂直に交差し、
前記ゴルフクラブヘッドのヘッドＣＧ高さは、前記ＣＧ高さの軸に沿って、前記ヘッド重心と前記第１交点の間で測定され、
前記ヘッド重心のヘッドＣＧ深さは、前記前面と前記地面の交差部に位置する第２交点と前記ヘッド垂直軸と前記地面の交差部に位置する第３交点の間で、前記地面に平行かつ前記前面に垂直に測定され、
前記フェース高さは、前記ロフト面と平行に測定して約３３ｍｍ〜約７１ｍｍであり、
前記ヘッドＣＧ深さが約２５ｍｍ〜約１０２ｍｍであり、
前記ヘッドＣＧ高さが約０ｍｍ〜約５．０８ｍｍであり、
前記第１の性能特性は、前記ヘッドＣＧ高さを約５．０８ｍｍ以下で有し、
前記第２の性能特性は、（ａ）７６．２ｍｍから前記フェース高さを引いて（ｂ）前記ヘッドＣＧ深さで割ることによって定められるＣＧ性能比を０．５６以下で有し、
前記ヘッド本体は、前記ヘッド本体の前記ソール部及び前記後部の付近に配置された錘構造体を備え、
時計盤は、１２時線、３時線、４時線、５時線、８時線及び９時線を少なくとも含み、
前記ゴルフクラブヘッドが前記地面に対して前記アドレス位置にあるとき、前記ゴルフクラブヘッドを下から見ると、前記１２時線は、前記打撃フェース中心点に位置合わせされると共に、前記ロフト面と前記地面の間の前部交線に直交し、
前記時計盤は、前記ヘッド前部の前端と前記ヘッド後部の後端の間の中点において、前記１２時線に沿って中央に配置され、
前記３時線は、前記ヘッドヒール部に向かって延び、
前記９時線は、前記ヘッドトウ部に向かって延び、
前記錘構造体の縁部は、前記４時線と前記９時線の間に制限され、
前記錘構造体の重心は、前記５時線と前記８時線の間に配置されている、方法。
【請求項２１】
前記ゴルフクラブヘッドが前記第１の性能特性を備える、請求項２０に記載の方法。
【請求項２２】
前記ゴルフクラブヘッドが前記第２の性能特性を備える、請求項２０または請求項２１に記載の方法。
【手続補正２】
【補正対象書類名】明細書
【補正対象項目名】００７２
【補正方法】変更
【補正の内容】
【００７２】
さらに、本明細書で開示された実施形態及び限定は、その実施形態及び／または限定が、（１）請求項において明示的に特許請求されておらず、（２）均等論の下で請求項中の明示的な要素及び／または限定の均等物であり、または潜在的な均等物である場合、公有の原則（ｄｏｃｔｒｉｎｅ  ｏｆ  ｄｅｄｉｃａｔｉｏｎ）の下で公共用として提供されることはない。
以下に、本実施例の特徴を列挙する。
（特徴１）
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部にあるフェース部であって、打撃フェース中心点及び打撃フェース縁部を有する打撃フェース並びに前記打撃フェース縁部によって制限されるフェース高さを有するフェース部と、
ヘッド重心と、
第１の性能特性または第２の性能特性の少なくとも一方と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は、前記打撃フェース中心点を通って前記ホーゼル軸と平行に延び、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面と垂直に交差し、
前記ヘッド重心のヘッドＣＧ高さは、前記ＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記フェース高さは、前記ロフト面と平行に測定して約３３ｍｍ〜約７１ｍｍであり、
前記第１の性能特性は、前記ヘッドＣＧ高さを約５．０８ｍｍ以下で有し、
前記第２の性能特性は、（ａ）７６．２ｍｍから前記フェース高さを引き、（ｂ）前記ヘッドＣＧ深さで割ることによって定められるＣＧ性能比を０．５６以下で有する、ゴルフクラブヘッド。
（特徴２）
前記ゴルフクラブヘッドが前記第１の性能特性を備える、特徴１に記載のゴルフクラブヘッド。
（特徴３）
前記ゴルフクラブヘッドが前記第２の性能特性を備える、特徴１または特徴２に記載のゴルフクラブヘッド。
（特徴４）
前記打撃フェースの面積が約２３．６ｃｍ２〜約４５．２ｃｍ２である、特徴１から特徴３のいずれか１項に記載のゴルフクラブヘッド。
（特徴５）
前記ヘッド本体は、前記ヘッド本体の前記ソール部及び前記後部の付近に配置された錘構造体を備え、
前記錘構造体は、
前記フェース高さによって定められる前記打撃フェースのフェースサイズを増加させて、インパクト領域をより大きくし、かつ前記打撃フェースとゴルフボールの間のゴルフインパクト時に前記ゴルフボールにより多くのエネルギーを移動させ、
前記増加させたフェースサイズによって前記ヘッドＣＧ深さが前記ヘッド前部に向かって浅くなるのを制限し、それにより、前記ゴルフインパクト時に前記打撃フェースのダイナミックロフトまたは前記ゴルフボールの打ち出し角の少なくとも一方を向上させ、
前記増加させたフェースサイズによって前記ヘッドＣＧ高さが前記ヘッド上部に向かって上昇するのを制限し、それにより、前記ゴルフインパクト時に前記打撃フェースと前記ゴルフボールの間のギア効果によって前記ゴルフボールのバックスピンを減少させる、特徴１から特徴４のいずれか１項に記載のゴルフクラブヘッド。
（特徴６）
前記ヘッド本体は、前記ヘッドソール部及び前記ヘッド後部の付近に配置された錘構造体を備え、
前記錘構造体は、前記ヘッドソール部の外部輪郭から少なくとも部分的に突出しており、
前記錘構造体は、約２グラム〜約５０グラムの錘質量及び約１立方センチメートル〜約３０立方センチメートルの錘体積を有する、特徴１から特徴４のいずれか１項に記載のゴルフクラブヘッド。
（特徴７）
前記ヘッド本体は、前記ヘッド本体の前記ソール部及び前記後部の付近に配置された錘構造体を備え、
前記ヘッド重心と前記錘構造体の錘中心の間の錘距離は、約２５ｍｍ〜約１０２ｍｍである、特徴１から特徴４のいずれか１項に記載のゴルフクラブヘッド。
（特徴８）
前記ヘッド本体は、錘中心を有し、前記ヘッドソール部及び前記ヘッド後部の付近に配置された錘構造体を備え、
錘中心垂直距離の軸は、前記錘中心と前記地面の間に延びると共に、前記ゴルフクラブヘッドが前記アドレス位置にあるときは前記地面に垂直であり、
ヘッドＣＧ垂直距離は、前記ヘッド垂直軸に沿って、前記ヘッド重心と前記地面の間で測定され、
錘中心垂直距離は、前記錘中心垂直距離の軸に沿って、前記ヘッド重心と前記地面の間で測定され、
前記錘中心垂直距離を前記ヘッドＣＧ垂直距離で割ることによって定められる垂直距離比が０．４４よりも大きい、特徴１から特徴４のいずれか１項に記載のゴルフクラブヘッド。
（特徴９）
前記ヘッド本体は、錘中心を有し、前記ヘッドソール部及び前記ヘッド後部の付近に配置された錘構造体を備え、
錘中心垂直距離の軸は、前記錘中心と前記地面の間に延びると共に、前記ゴルフクラブヘッドが前記アドレス位置にあるときは前記地面に垂直であり、
前記錘中心の錘中心深さは、前記前面と前記地面の間の交差部にある前記第２交点と、前記錘中心垂直距離の軸と前記地面の交差部にある第４交点の間で、前記地面と平行に測定され、
前記錘中心深さを前記ヘッドＣＧ深さで割ることによって定められる深さ比が２．５４未満である、特徴１から特徴４のいずれか１項に記載のゴルフクラブヘッド。
（特徴１０）
前記フェース部は打撃板を含み、前記打撃板は、前記打撃板の打撃板端部に沿って前記ヘッド前部に接合されており、
前記打撃板端部は、前記打撃フェースの前記打撃フェース縁部の少なくとも一部を画定し、
前記打撃フェース縁部は、打撃フェース上端及び打撃フェース下端を含み、
前記フェース高さは、前記打撃フェース下端から前記打撃フェース上端まで測定される、特徴１から特徴９のいずれか１項に記載のゴルフクラブヘッド。
（特徴１１）
前記打撃フェースを含むヘッド前方面をさらに備え、
前記打撃フェースは、前記打撃フェースに沿って延びると共に前記打撃フェース中心点を横断する垂直ロール半径を含み、
前記打撃フェース縁部は、前記ヘッド前方面の輪郭が前記垂直ロール半径から離れる箇所である上部遷移境界にある打撃フェース上端、及び前記フェース部の輪郭が前記垂直ロール半径から離れる箇所である下部遷移境界にある打撃フェース下端を含み、
前記フェース高さは、前記打撃フェース下端から前記打撃フェース上端まで測定される、
特徴１から特徴９のいずれか１項に記載のゴルフクラブヘッド。
（特徴１２）
前記ヘッドＣＧ深さが約２５ｍｍ〜約１０２ｍｍである、特徴１から特徴１１のいずれか１項に記載のゴルフクラブヘッド。
（特徴１３）
前記ヘッドＣＧ高さが約０ｍｍ〜約５．０８ｍｍである、特徴１から特徴１２のいずれか１項に記載のゴルフクラブヘッド。
（特徴１４）
前記ヘッド本体はドライバー型本体で構成され、
前記ヘッドＣＧ高さは、約０ｍｍ〜約５．０８ｍｍであり、
前記ヘッドＣＧ深さは、約２５ｍｍ〜約１０２ｍｍであり、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムである、特徴１から特徴１１のいずれか１項に記載のゴルフクラブヘッド。
（特徴１５）
前記ヘッドＣＧ高さが約０ｍｍ〜約４．４５ｍｍである、特徴１から特徴１１のいずれか１項に記載のゴルフクラブヘッド。
（特徴１６）
前記ヘッドＣＧ高さが約０ｍｍ〜約３．８１ｍｍである、特徴１から特徴１１のいずれか１項に記載のゴルフクラブヘッド。
（特徴１７）
ゴルフクラブヘッドであって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体と、
前記ヘッド前部に連結され、打撃フェース中心点、打撃フェース縁部及びフェース高さを有する打撃フェースを含むフェース部と、
ヘッド重心と、を備え、
前記ゴルフクラブヘッドが地面に対してアドレス位置にあるとき、ヘッド垂直軸は、前記ヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は前記打撃フェース中心点を通って前記ホーゼル軸と平行に延び、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面と垂直に交差し、
前記ヘッド重心のヘッドＣＧ高さは、前記ＣＧ高さの軸に沿って、前記ヘッド重心と前記第１交点の間で測定され、
前記ヘッド重心のヘッドＣＧ深さは、前記前面と前記地面の交差部に位置する第２交点と、前記ヘッド垂直軸と前記地面の交差部に位置する第３交点の間で、前記地面に平行かつ前記前面に垂直に測定され、
前記フェース高さは、前記打撃フェース縁部によって定められ、前記ロフト面と平行に測定して約３３ｍｍ〜約７１ｍｍであり、
（ａ）７６．２ｍｍから前記フェース高さを引いたものと（ｂ）前記ヘッドＣＧ深さのＣＧ性能比が０．５６以下であり、
前記ヘッド本体はドライバー型本体で構成され、
前記ゴルフクラブヘッドのヘッド容量は、約４２０立方センチメートル〜約４７０立方センチメートルであり、
前記ゴルフクラブヘッドのヘッド重量は、約１８５グラム〜約２２５グラムであり、
前記ヘッドＣＧ高さは、約０ｍｍ〜約３．１８ｍｍであり、
前記ヘッドＣＧ深さは、約２５ｍｍ〜約１０２ｍｍであり、
前記ヘッド本体は、前記ヘッド本体の前記ソール部及び前記後部の付近に配置された錘構造体を備える、ゴルフクラブヘッド。
（特徴１８）
前記錘構造体は、
前記フェース高さによって定められる前記打撃フェースのフェースサイズを増加させて、インパクト領域をより大きくし、かつ前記打撃フェースとゴルフボールの間のゴルフインパクト時に前記ゴルフボールにより多くのエネルギーを移動させ、
前記増加させたフェースサイズによって前記ヘッドＣＧ深さが前記打撃フェースに向かって浅くなるのを制限し、それにより、前記ゴルフインパクト時に前記打撃フェースのダイナミックロフトまたは前記ゴルフボールの打ち出し角の少なくとも一方を向上させ、
前記増加させたフェースサイズによって前記ヘッドＣＧ高さが前記ヘッド上部に向かって上昇するのを制限し、それにより、前記ゴルフインパクト時に前記打撃フェースと前記ゴルフボールの間のギア効果によって前記ゴルフボールのバックスピンを減少させる、特徴１７に記載のゴルフクラブヘッド。
（特徴１９）
前記ヘッド重心と前記錘構造体の錘中心の間の錘距離が約２５ｍｍ〜約１０２ｍｍである、特徴１７または特徴１８に記載のゴルフクラブヘッド。
（特徴２０）
ゴルフクラブヘッドの提供方法であって、
ヘッド前部、ヘッド後部、ヘッドヒール部、ヘッドトウ部、ヘッドソール部、ヘッド上部、及びゴルフクラブシャフトを受け入れるための内径部を有し、前記内径部がホーゼル軸を有するホーゼル構造体を含むヘッド本体を提供すること、
前記ヘッド前部に、打撃フェース中心点、打撃フェース縁部及び前記打撃フェース縁部によって制限されるフェース高さを有する打撃フェースを含むフェース部を連結すること、並びに前記ゴルフクラブヘッドの第１の性能特性または前記ゴルフクラブヘッドの第２の性能特性の少なくとも一方を設定すること、を含み、
前記ゴルフクラブヘッドが地面に対してアドレス位置にあるとき、ヘッド垂直軸は、前記ゴルフクラブヘッドのヘッド重心を通って延びると共に前記地面に垂直であり、ヘッド水平軸は、前記ヘッド重心を通って延びると共に前記ヘッド垂直軸に直交し、
前記ゴルフクラブヘッドのロフト面は、前記打撃フェース中心点に接し、
前記ゴルフクラブヘッドの前面は前記打撃フェース中心点を通って前記ホーゼル軸と平行に延び、
ヘッド奥行き面は、前記打撃フェース中心点を通って前記ヘッド水平軸と平行かつ前記ロフト面に垂直に延び、
重心（ＣＧ）高さの軸は、前記ヘッド重心を通って延びると共に、第１交点で前記ヘッド奥行き面と垂直に交差し、
前記ゴルフクラブヘッドのヘッドＣＧ高さは、前記ＣＧ高さの軸に沿って、前記ヘッド重心と前記第１交点の間で測定され、
前記ヘッド重心のヘッドＣＧ深さは、前記前面と前記地面の交差部に位置する第２交点と前記ヘッド垂直軸と前記地面の交差部に位置する第３交点の間で、前記地面に平行かつ前記前面に垂直に測定され、
前記フェース高さは、前記ロフト面と平行に測定して約３３ｍｍ〜約７１ｍｍであり、
前記第１の性能特性は、前記ヘッドＣＧ高さを約５．０８ｍｍ以下で有し、
前記第２の性能特性は、（ａ）７６．２ｍｍから前記フェース高さを引いて（ｂ）前記ヘッドＣＧ深さで割ることによって定められるＣＧ性能比を０．５６以下で有する、方法。
（特徴２１）
前記ゴルフクラブヘッドが前記第１の性能特性を備える、特徴２０に記載の方法。
（特徴２２）
前記ゴルフクラブヘッドが前記第２の性能特性を備える、特徴２０または特徴２１に記載の方法。